(57)【要約】【課題】  軽量で回転軸に収納がし易く、使い方が簡単な縄梯子を提供する。【解決手段】  本発明の縄梯子１０は、縄１６を亀甲状の網に編んだ梯子本体１５を有する。梯子本体１５は、亀甲状の孔１８の６角形の頂点が上下になるように配置され、それぞれの６角形孔の斜辺は１本の縄で、縦辺は２本の縄が重複するように形成され、梯子の長さ方向と直交する方向の任意の位置における断面内の縄の本数が一定である。【選択図】    図１
2009270396.tif 000002
【特許請求の範囲】
【請求項１】
縄を亀甲状の網に編んだ梯子本体を有することを特徴とする縄梯子。
【請求項２】
前記梯子本体は、亀甲状の６角形の頂点が上下になるように配置され、それぞれの６角形の斜辺は１本の縄で、縦辺は２本の縄が重複するように形成され、梯子の長さ方向と直交する方向の任意の位置における断面内の縄の本数が一定であることを特徴とする請求項１に記載の縄梯子。
【請求項３】
前記梯子本体で、２本の縄が重複する部分を縄と別の結合体で結合したことを特徴とする請求項２に記載の縄梯子。
【請求項４】
前記結合体が、２本の縄が重複する部分の両端部に設けられていることを特徴とする請求項３記載の縄梯子。
【請求項５】
前記梯子本体の一端を固定する回転軸と、該回転軸を回転するハンドルとを設け、前記梯子本体を前記回転軸に巻き取り可能としたことを特徴とする請求項１から４のいずれかに記載の縄梯子。
【発明の詳細な説明】
【技術分野】
【０００１】
本発明は、通常の梯子として、あるいは、避難用の梯子として使用することができる縄梯子に関するものである。
【背景技術】
【０００２】
特定の場所に設置された避難用梯子だと、出火位置が悪ければ、いざという時に全く使えない場合もある。あらゆる場所から避難できるように、取付け自在な構造を有する避難用梯子が望ましい。すなわち、非常時に簡単に取付けできるように、着脱容易で、軽量で、取付け位置へ持ち運びがし易いように、コンパクトに収納できるものが望まれる。
【０００３】
避難用に用いられる縄梯子としては、特許文献１に記載のものが知られている。これは、一対の平行なロープ間に所定間隔で複数の踏桟を取り付けたものである。ロープの素材としては、ワイヤーロープ、ワイヤー入り繊維ロープ、繊維ロープ等が用いられ、踏桟にはアルミ等の剛性の丸い棒状材が用いられる。踏桟を剛性にしたのは、踏桟をロープにすると、人が乗ったとき踏桟が下方に引張られ、安定性を欠くからである。
【０００４】
このような縄梯子は、不使用の場合は、ハンドルを回して回転軸に巻き取ってコンパクトにしている。このようにすることで、設置場所を小さくすることができる。
【特許文献１】特開２００３−１３５６１０
【発明の開示】
【発明が解決しようとする課題】
【０００５】
しかしながら、特許文献１のように、剛性の踏桟を設けた構造だと回転軸に巻き取ったとき、嵩張ってコンパクトに巻き取ることができない。特許文献１では、踏桟を板状にせず、棒状にしているので、嵩張り方は少なくなるが、それでも、踏桟を回転軸の周りに均等に分散させることはできず、踏桟が重なる部分ができ、コンパクトに巻き取ることができない。また、踏桟が丸棒状なので、踏み込んだときの安定が悪く、しかも、剛性なので滑り易く、使い方が難しい。
【０００６】
本発明は、斯かる実情に鑑み、軽量で回転軸に収納がし易く、使い方が簡単な縄梯子を提供しようとするものである。
【課題を解決するための手段】
【０００７】
上記の目的を達成するために本発明の縄梯子は、縄を亀甲状の網に編んだ梯子本体を有することを特徴としている。
【０００８】
又は、前記梯子本体は、亀甲状の６角形の頂点が上下になるように配置され、それぞれの６角形の斜辺は１本の縄で、縦辺は２本の縄が重複するように形成され、梯子の長さ方向と直交する方向の任意の位置における断面内の縄の本数が一定である構成とすることができる。
【０００９】
前記梯子本体で、２本の縄が重複する部分を縄と別の結合体で結合した構成としたり、前記結合体が、２本の縄が重複する部分の両端部に設けられている構成としたり、前記梯子本体の一端を固定する回転軸と、該回転軸を回転するハンドルとを設け、前記梯子本体を前記回転軸に巻き取り可能とした構成にすることができる。
【発明の効果】
【００１０】
本発明の亀甲状に形成された梯子本体を有する縄梯子によれば、縄梯子の全体をロープで製造することができるので、軽量であり、回転軸に巻き取りやすく、また、巻き取った形で持ち運びし易いという優れた効果を奏し得る。
【００１１】
また、梯子の機能としては、梯子本体がロープにより亀甲状に編まれているため、梯子の横方向の揺れに強く、体重が亀甲状に分散して作用するので安定している。
【００１２】
亀甲状の孔に足を突っ込んで踏むのだが、アルミ製の踏桟に比べて足が滑りにくく、また、足を掛けやすい。また、６角孔が亀甲状に多数できるので、１段の高さを選択することができ、大人でも子供でも同じ縄梯子を使用することができる。
【発明を実施するための最良の形態】
【００１３】
以下、本発明の実施の形態を添付図面を参照して説明する。
図１は、亀甲状に編まれた縄梯子を示す図で、（ａ）は斜視図、（ｂ）は正面図である。
【００１４】
この縄梯子１０を避難用梯子として使用する場合は、建造物の内部から外部に脱出可能なベランダや窓などに設置する。窓やベランダの壁などの適当なところに、コ字型の取付部材１１を固定する。
【００１５】
取付部材１１には、回転軸１２があり、回転軸１２の両側には鍔１３，１３が固定されている。また、回転軸１２の一端には、回転軸１２を回すハンドル１４が取り付けられている。
【００１６】
携帯
回転軸１２は円柱形状で、ここには、梯子本体１５の一端が固定されている。ハンドル１４を回転することで、梯子本体１５は、回転軸１２に巻き取られ、コンパクトに収容することができる。
【００１７】
図２は、梯子本体１５の要部拡大図である。この実施例における梯子本体１５は、６本の縄１６（１６−１〜１６−６）を編んで構成されている。縄１６としては、綿ロープ、麻ロープ、ワイヤー入りロープ、合成繊維のロープ、ワイヤーロープ等多様な素材を使用することができる。いずれを使用しても、滑りにくいものとなる。
【００１８】
６本の縄１６（１６−１〜１６−６）を図２に示すように配策し、多数の６角形の孔１８を亀甲状に連続的に形成する。６角形の斜め方向の辺は、縄が１本で、上下方向の辺の縄は２本が重なっている。また、梯子本体１５の両側には、１本の縄が配策された状態となる。そして、上下方向の辺等で重なった２本の縄は、重なり部分の両端を結合体１７によって結合され、網状に形成されている。
【００１９】
通常、このような６角孔の網は、縄同士を結んで編目を形成している。本発明の縄梯子１０でもそのように縄を結んで編目を形成してもよい。しかし、結び目にすると、結び目の径が縄２本分の径より太くなるので、梯子本体１５を回転軸１２に巻き取る際、結び目が嵩張り、若干コンパクト性に欠ける。
【００２０】
これに対し、本発明の実施例のように、縄とは別の適当な部材からなる結合体１７にすると、結合部の太さが太くならず、嵩張ることなく巻き取ることができる。このような結合体１７としては、天然繊維や合成繊維などの糸や紐、金属製の針金などを使用することができる。また、可撓性のある素材で形成したリングを使用することもできる。
【００２１】
縄梯子１０を使用する場合は、ハンドル１４を回して梯子本体１５を解き、垂下させる。その後、６角形の孔に足を入れて下側の２つの斜辺を踏桟として使用し、昇降するのだが、どれか一つの孔に力を掛けたとしても、力は分散されるので足が抜け難くなる程、形状が変化することはない。
【００２２】
梯子本体１５に形成される６角形の孔１８は、図２の実施例では、梯子本体１５の中央に１つだけできる孔１８ａと、２つできる孔１８ｂに分けることができる。この縄梯子１０を登る場合は、孔１８ａと孔１８ｂとを交互に利用する登り方と、孔１８ａだけ、又は孔１８ｂだけを利用する登り方の２通りの登り方がある。
【００２３】
孔１８ａと孔１８ｂとを交互に利用する登り方の場合は、１段の高さは、図示のＡであり、孔１８ａだけ、又は孔１８ｂだけを利用する登り方の場合は、１段の高さは、図示のＢとなる。そして、ＡとＢとの間には、２Ａ＝Ｂの関係がある。すなわち、１つの梯子本体１５で、１段の高さを２通りに使用することができる。したがって、Ａは大人用、Ｂは子供用のように、使用する人に合わせて１段の高さを変更することができる。
【００２４】
上記の実施例では、取付部材１１で縄梯子１０を建物の壁などに固定することとしているが、この使い方に限定されるものではない。取付部材１１にフックを設け、建物の壁や、窓枠などにフックを掛けて使用するようにしてもよい。その場合は、縄梯子１０だけを持ち歩き、適当なところで使用することができる。また、回転軸１２も必須ではなく、梯子本体１５に直接フックを取り付けてもよい。しかし、回転軸１２に梯子本体１５を巻き付けることで、梯子本体１５をコンパクトにすることができる。
【図面の簡単な説明】
【００２５】
【図１】亀甲状に編まれた避難用縄梯子本体の形状を示した図で、（ａ）は斜視図、（ｂ）は正面図である。
【図２】梯子本体の要部拡大図である。
【符号の説明】
【００２６】
１０    縄梯子
１１    取付部材
１２    回転軸
１３    鍔
１４    ハンドル
１５    梯子本体
１６    縄
１７    結合体
１８    孔
１８ａ  孔
１８ｂ  孔
【図１】
2009270396.tif 000003
【図２】
2009270396.tif 000004